(57)【要約】【課題】省エネルギの向上を図ることができる室外ユニットカバー装置を提供する。【解決手段】建屋外壁２の近くに配置され、上段に空気調和装置４の室外ユニット５を配置し、下段にヒートポンプ式給湯装置６の室外ユニット７を配置可能な載置台３と、前記空気調和装置４の室外ユニット５、ヒートポンプ式給湯装置６の室外ユニット７を覆うカバー部材８とを備え、前記カバー部材８には、前記空気調和装置４が冷房運転され、前記ヒートポンプ式給湯装置６が給湯運転しているときに、前記ヒートポンプ式給湯装置６の室外ユニット７の吹出口７ｂから吹き出される冷気を前記空気調和装置４の室外ユニット５の吸込口５ｂ側へ案内する通風路３５を形成した。【選択図】  図１
2014190633.tif 000002
【特許請求の範囲】
【請求項１】
建屋外壁の近くに配置され、
上段に空気調和装置の室外ユニットを配置し、下段にヒートポンプ式給湯装置の室外ユニットを配置可能な載置台と、
前記空気調和装置の室外ユニット、ヒートポンプ式給湯装置の室外ユニットを覆うカバー部材とを備え、
前記カバー部材は、前記空気調和装置が冷房運転され、前記ヒートポンプ式給湯装置が給湯運転しているときに、前記ヒートポンプ式給湯装置の室外ユニットの吹出口から吹き出される冷気を前記空気調和装置の室外ユニットの吸込口側へ案内する通風路が形成されることを特徴とする室外ユニットカバー装置。
【請求項２】
前記空気調和装置の室外ユニットは、吹出口側を前記建屋外壁側に向け、その反対側に吸込口側を向けた状態で配置され、
前記ヒートポンプ式給湯装置の室外ユニットは、吸込口側を前記建屋外壁側に向け、その反対側に吹出口側を向けた状態で配置されること
を特徴とする請求項１に記載の室外ユニットカバー装置。
【発明の詳細な説明】
【技術分野】
【０００１】
本発明の実施形態は、ヒートポンプ式給湯装置と空気調和装置の各室外ユニットを上下２台に配置して被覆する室外ユニットカバー装置に関する。
【背景技術】
【０００２】
従来から、建屋等の外壁面に配設した空気調和装置の室外ユニット等の設備部材が外部に露出しないように、これら設備部材を被覆する化粧カバー装置が知られている（例えば、特許文献１参照）。
【先行技術文献】
【特許文献】
【０００３】
【特許文献１】特開２０００−１９２６４４号公報
【発明の概要】
【発明が解決しようとする課題】
【０００４】
しかしながら、この特許文献１記載のものは、設備部材が外部に露出すると、外観を害するので、これら設備部材を化粧カバーにより被覆して隠蔽することにより、単に美観の向上を図ったものに過ぎない。
【０００５】
ところで、一般に、ヒートポンプ式給湯装置の室外ユニットは、浴室・キッチン・トイレなどの湯を使用する場所の近くの建屋外壁に沿って設けられることが多い。しかも、空気調和装置の室外ユニットとは独立して別個に配置施工されている。
【０００６】
そして、ヒートポンプ式給湯装置の室外ユニットは季節を問わず常に大気中の熱を吸熱する運転を行なっており、吹出口から吹き出される排気は夏・冬とも冷風である。
【０００７】
一方、空気調和装置の室外ユニットは、夏では、外気よりも例えば約１０℃以上高温の暖風（暖気）を吹き出しており、冬は逆に外気よりも低い冷気を放出しており、これらは別々に無関係に運転される場合が多い。
【０００８】
しかし、運転時間が長いために総電力に影響する盛夏時の状況を見ると、折角高温となった空気調和装置の室外ユニットの排気は、そのまま利用されずに大気へ放出されている。また、給湯装置室外ユニットにおいても、そのまま冷風となって大気中へ放出されており、一般家庭やビル等において、これら排熱のエネルギ再利用が実行されていない。
【０００９】
本発明が解決しようとする課題は、省エネルギの向上を図ることができる室外ユニットカバー装置を提供することにある。
【課題を解決するための手段】
【００１０】
実施形態に係る室外ユニットカバー装置は、建屋外壁の近くに配置され、上段に空気調和装置の室外ユニットを配置し、下段にヒートポンプ式給湯装置の室外ユニットを配置可能な載置台と、前記空気調和装置の室外ユニット、ヒートポンプ式給湯装置の室外ユニットを覆うカバー部材とを備え、前記カバー部材は、前記空気調和装置が冷房運転され、前記ヒートポンプ式給湯装置が給湯運転しているときに、前記ヒートポンプ式給湯装置の室外ユニットの吹出口から吹き出される冷気を前記空気調和装置の室外ユニットの吸込口側へ案内する通風路が形成される。
【図面の簡単な説明】
【００１１】
【図１】実施形態に係る室外ユニットカバー装置の側面模式図。
【図２】同，実施形態の斜視図。
【図３】図１，図２で示す載置台の斜視図。
【図４】図１，図２で示す空気調和装置の室外ユニット（空調室外ユニット）を具備した空気調和装置の冷凍サイクル図。
【図５】図１，図２で示すヒートポンプ式給湯装置の室外ユニット（給湯室外ユニット）を具備したヒートポンプ式給湯装置の冷凍サイクル図。
【図６】空気調和装置の冷房，暖房運転時にそれぞれ制御される前面扉、上下，左右一対の側面扉および上下仕切扉等開閉扉の開閉状態を示す一覧表。
【図７】空気調和装置の冷房運転（ＯＮ）時かつヒートポンプ式給湯装置の給湯運転（ＯＮ）時の熱回収モードを示す側面模式図。
【図８】空気調和機の冷房運転時に、給湯装置が運転停止（ＯＦＦ）しているときに発生し易いショートサーキットを防止するために前面扉等開閉扉を制御する場合の一例を示す側面模式図。
【図９】空気調和機の暖房運転（ＯＮ）時に、給湯装置が運転停止（ＯＦＦ）しているときの前面扉等開閉扉の制御方法の一例と室外ユニットカバー装置の屋根の積雪を低減する方法を示す側面模式図。
【図１０】浴室等室内から排気される暖気の利用モードを示す側面模式図。
【図１１】前面扉等開閉扉の制御方法の一例を示すフローチャートの主要部。
【図１２】同，図１１で示すフローチャートの残部。
【図１３】他の実施形態の側面模式図。
【発明を実施するための形態】
【００１２】
以下、実施形態の室外ユニットカバー装置を図面を参照して説明する。なお、複数の図面中、同一または相当部分には同一符号を付している。
【００１３】
図１は、実施形態に係る室外ユニットカバー装置の側面模式図、図２は、同，実施形態の斜視図、図３は、図１，図２で示す載置台の斜視図である。
【００１４】
図１〜図３に示すように室外ユニットカバー装置１は、住宅等の建屋外壁２の近くに配置され、建屋外壁２と所要の間隙を置いて設置される図３で示す上下２段の載置台３、この載置台３の下段に載置される空気調和装置４の室外ユニットである空調室外ユニット５、この載置台３の上段に載置されるヒートポンプ式給湯装置６の室外ユニットである給湯室外ユニット（熱源ユニット）７およびこれら載置台３、空調室外ユニット５および給湯室外ユニット７を被覆する板金製のカバー部材８を具備している。
【００１５】
図３に示すように載置台３は、空気調和装置用の室外ユニットを上下２台に配置できる２台置き台として市販されているもの、またはそれと同様のものであり、例えば横断面形状がＬ形の形鋼等の複数の金属製枠材３ａ，３ａ，…により角筒状骨格フレームよりなる載置台本体３ｂを形成している。
【００１６】
載置台本体３ｂは、平面形状がほぼ同形同大の長方形の上下２段の載置部３ｄ，３ｃを有し、これら両載置部３ｃ，３ｄを、これらの各角部上に立設した複数の柱状の枠材３ａ，３ａ，…により上下２段に連結している。下段載置部３ｃは載置台本体３ｂの図３中、内底面に、複数本の横桟３ｅ，３ｅ，…を横架して形成されている。上段載置部３ｄは、図３中上端に、天板３ｆを配設して形成されている。但し、天板３ｆに代えて横桟３ｅ，３ｅ，…により形成してもよい。
【００１７】
載置台３は、下段載置部３ｃの外底面の各角部に、各々高さ方向に調節可能の脚部３ｇをそれぞれ設けており、全高は例えば約９００ｍｍである。
【００１８】
図１に示すように、空調室外ユニット５は、その吹出口５ａを、建屋外壁２に、例えば１００ｍｍ以上の所要の間隙を置いて対向配置し、その反対側の吸込口５ｂを建屋外壁２の反対側、すなわち、建屋外壁２の前方に向けた状態で下段載置部３ｃ上に配設される。
【００１９】
空調室外ユニット５は、夏季の冷房運転時には夏の外気よりも例えば１０℃以上高い高温の排気を吹出口５ａから吹き出し、冬季等の暖房運転時には、冬の外気よりも低い排気を吹出口５ａから外気へ吹き出す。
【００２０】
また、給湯室外ユニット７は、その吸込口７ａを、建屋外壁２に、例えば１００ｍｍ以上の所要の間隙を置いて対向配置し、その反対側の吹出口７ｂを、建屋外壁２の反対側、すなわち、建屋外壁２の前方に向けた状態で上段載置部３ｄ上に載置される。
【００２１】
給湯室外ユニット７は、ヒートポンプ式給湯装置６の運転中、季節を問わず外気中の熱を吸熱するので、吹出口７ｂから吹き出される排気は夏・冬ともに冷気である。
【００２２】
図４は上記空調室外ユニット５を具備した空気調和装置４の冷凍サイクルの一例を示す図である。この図４に示すように、空気調和装置４は、空調室外ユニット５と室内ユニットＲとを具備し、冷凍サイクル部９と、その運転を制御する制御装置１０を有している。
【００２３】
冷凍サイクル部９は、圧縮機１１、電磁弁または電動弁よりなる四方弁１２、室内ファン１３ａを有する室内熱交換器１３、膨張弁１４、室外ファン１５ａを有する室外熱交換器１５およびアキュムレータ１６を順次連通可能に冷媒配管１７により接続している。
【００２４】
空調室外ユニット５は室外ユニット筐体１８内に、圧縮機１１、四方弁１２、膨張弁１４、室外ファン１５ａ、室外熱交換器１５、アキュムレータ１６および制御装置１０を収容している。室内ユニットＲは室内熱交換器１３と室内ファン１３ａ等を室内ユニットケース１９内に収容している。
【００２５】
空気調和装置４は、四方弁１２の切換操作により冷媒が図４中、実線矢印方向に循環されると、冷房運転され、冷媒が破線矢印方向に循環されると、暖房運転される。空調室外ユニット５は、冷房運転時に、吹出口５から暖気を吹き出し、暖房運転時に冷気を吹き出す。
【００２６】
図５は上記給湯室外ユニット７を有するヒートポンプ式給湯装置６の構成の一例を示す構成図である。図５に示すようにヒートポンプ式給湯装置６は、水や湯の加熱手段であるヒートポンプユニット２０と、このヒートポンプユニット２０により加熱されてなる湯を貯留する貯湯タンク２１をタンクユニット筐体２２ａ内に収容した貯湯タンクユニット２２を備えている。
【００２７】
ヒートポンプユニット２０は、その室外ユニット筐体２０ａ内に、圧縮機２３、冷媒側流路２４ａと水側流路２４ｂを有する水−冷媒熱交換器２４、膨張弁２５および蒸発器２６を冷媒配管により順次環状に接続して冷媒を循環させる冷凍サイクルと、蒸発器２６に外気を送風するファン２６ａと、ヒートポンプ式給湯装置６の運転を制御する制御装置２７を収容して、給湯室外ユニット７に構成されている。
【００２８】
したがって、ヒートポンプ式給湯装置６の運転中には、給湯室外ユニット７の吹出口７ｂからは常に冷気が吹き出される。
【００２９】
そして、図１に示すように、カバー部材８は、上記載置台３の上段３ｄ上に立設可能な屋根付きの下屋構造に構成され、その下屋構造のフレームの支柱を構成する複数の延長柱２８の図１中、下端部を、載置台３の上段３ｄを支持する複数の支柱を有する枠材３ａ，３ａ，…に、複数の継手２８ａ，２８ａ，…により連結することにより載置台３の上段３ｄ上に着脱可能に固定される。
【００３０】
カバー部材８の屋根２９は、例えばステンレス等の金属製平板により形成され、載置台３に上下二段で載置された空調室外ユニット５、給湯室外ユニット７の平面を十分に被覆し得る大きさと形状に形成されている。また、屋根２９は建屋外壁２側から前方へ向けて漸次低くなるように傾斜する片流れの屋根に形成されている。
【００３１】
屋根２９は、その傾斜角を例えば約３８°以上の急勾配に形成することにより、屋根２９上に雪が積雪したときの積雪を落下し易く形成してもよい。
【００３２】
また、屋根２９の高さと傾斜角を適宜調整し得るように、屋根２９の前部または後部、あるいは両者を支持する複数の延長柱２８，２８，…の長さ（高さ）を調整可能に構成してもよい。
【００３３】
屋根２９は、建屋外壁２に設けた浴室排気フード３０を被覆し得る高さに形成され、浴室排気フード３０から排気される例えば浴室からの高湿度の暖気をカバー部材８内に導入する。
【００３４】
そして、図１，図２に示すように、カバー部材８は、屋根２９の下端に、その前面８ａ側と、左右側面８ｂ，８ｃ側をそれぞれ被覆する板金製のカバー部材前面部８ａ、カバー部材左右側面部８ｂ，８ｃを具備しており、建屋外壁２側の背面８ｄをほぼ全面的に開口させている。
【００３５】
この背面８ｄは、その開口縁部のほぼ全周に、例えばスポンジゴム製等のパッキン３１を固着し、建屋外壁２とカバー部材８との気密性と水密性の向上を図っている。また、建屋外壁２に当接する屋根２９の当該当接面には、ゴム板３２やパッキンを設け、気密性と水密性の向上を図っている。
【００３６】
左右一対のカバー部材側面部８ｂ，８ｃは載置台３の下段載置部３ｃのほぼ底面の左右側面まで垂直方向下方へ延在し、給湯室外ユニット７と空調室外ユニット５の左右両側面をそれぞれ被覆している。これら左右一対のカバー部材側面部８ｂ，８ｃは、上段の給湯室外ユニット７の吸込口７ａよりもやや後方、すなわち、建屋外壁２寄りにおいて、例えば矩形で開閉可能の左右一対の上部側面扉３３ａ，３３ｂを設けている。また、下段の空調室外ユニット５の吹出口５ａよりもやや後方、すなわち、建屋外壁２寄りには、例えば矩形で開閉可能の左右一対の下部側面扉３４ａ，３４ｂを設けている。
【００３７】
これら左右一対の上部，下部側面扉３３ａ，３３ｂ、３４ａ，３４ｂは、スライドドアまたはヒンジドア等により構成され、手動開閉または自動開閉により開閉される。また、自動開閉方式の場合の駆動装置（アクチュエータ）はギアードモータや空気圧式アクチュエータのいずれを用いてもよい。
【００３８】
そして、カバー部材８の前面部８ａは、下段の空調室外ユニット５の図１中ほぼ上部の高さまで垂直方向下方へ延在して終端し、この終端部８ａａには、図１中下向きに開口する終端部開口８ａｂを形成している。この終端部開口８ａｂは、上段の給湯室外ユニット７の吹出口７ｂと、下段の空調室外ユニット５の吸込口５ｂとを連通する第２の通風路である前面側通風路３５の途中に形成されている。
【００３９】
また、終端部開口８ａｂよりも図１中下方、すなわち、空調室外ユニット５の上部よりもやや下方側には、ほぼ全面的に開口する下部前面開口３６が形成されている。
【００４０】
また、カバー部材前面部８ａは、その前面（図１では左端）であって、上段の給湯室外ユニット７の吹出口７ｂに対向する対向面に、上部前面開口３７を設け、この上部前面開口３７には、前面扉３８を開閉可能に設けている。
【００４１】
図１に示すように前面扉３８は、その図中下部において、幅方向両端にヒンジピン３８ａを設け、このヒンジピン３８ａよりも図中上方の上部３８ｂと、下方の下部３８ｃとに区分し、この上部３８ｂの全開時、または所要開度の開扉時に、下部３８ｃは前面側通風路３５を閉じる。
【００４２】
ヒンジピン３８ａは、例えばギアードモータ等の開閉駆動装置３７ｂにより回動されて、前面扉３８が開閉する。開閉駆動装置３７ｂは上部前面開口３７の幅方向一端よりも外側に位置する箇所において、カバー部材前面部８ａの内面等に配設される。
【００４３】
前面扉３８は、例えば上下方向ほぼ中間部内面において、伸縮アーム３９により回動（開閉）可能に支持されている。伸縮アーム３９は、例えば載置台３の上段３ｄ上に立設された延長柱２８に配設される。
【００４４】
カバー部材８はこのように構成されているので、載置台３の背面と建屋外壁２の外面との間隙に、第１の通風路である背面側通風路４０を形成することができる。
【００４５】
背面側通風路４０は、下段配置の空調室外ユニット５の吹出口５ａ側間隙と、上段配置の給湯室外ユニット７の吸込口７ａ側間隙とを図１中上下方向に連通している。この背面側通風路４０の途中には、その通風路４０を開閉する上下仕切扉４１が介装されている。
【００４６】
この上下仕切扉４１はその閉扉時に、背面側通風路４０を上下方向に仕切り、空調室外ユニット５の吹出口５ａから吹き出された吹出風が給湯室外ユニット７の吸込口７ａ側に通風されるのを阻止することができる。
【００４７】
上下仕切扉４１は、例えばスライドドアにより構成され、載置台３の天板３ｆに配設される。但し、上下仕切扉４１はヒンジドアにより構成してもよい。また、上下仕切扉４１は空気調和装置４が冷房運転から暖房運転に切り換えられる時期の、例えば年１，２回程度の少ない回数で閉扉されるので、手動開閉でもよい。
【００４８】
図６は上記空気調和装置４とヒートポンプ式給湯装置６の運転状態に応じて開閉される前面扉３８、上下一対かつ左右一対の側面扉３３ａ，３３ｂ、３４ａ，３４ｂおよび上下仕切扉４１の開閉状態の一覧を示す。なお、図７以下では暖気の排気を黒矢印で示し、冷気の排気を白矢印で示している。
【００４９】
すなわち、まず、図７に示すように、夏季等で空気調和装置４が冷房モードで運転中（ＯＮ）に、ヒートポンプ式給湯装置６が給湯運転を開始（ＯＮ）したときは、空調室外ユニット５の吹出口５ａからは夏の外気よりも高い高温の暖気が黒矢印に示すように外気へ吹き出される。一方、給湯室外ユニット７の吹出口７ｂからは冷気が白矢印で示すように吹き出される。
【００５０】
そこで、この運転モードの時には、図６の一覧表の左端の欄に示すように、熱回収運転が行なわれる。すなわち、前面扉３８が全閉、上下一対かつ左右一対の側面扉３３ａ，３３ｂ、３４ａ，３４ｂが全閉、上下仕切扉４１が開に制御される。
【００５１】
このために、下段の空調室外ユニット５の吹出口５ａから外気よりも例えば１０℃程度高い高温の排気が建屋外壁２側の背面側通風路４０へ吹き出される。この高温の排気は自然対流により背面側通風路４０を上方へ昇流し、開扉中の上下仕切扉４１を通って上段の給湯室外ユニット７の吸込口７ａ側へ流入する。
【００５２】
すると、この暖気は、給湯室外ユニット７内のファン２６ａの吸込み力により吸い込まれ、蒸発器２６を通風して加熱する。このために、蒸発温度を上昇させるので、ヒートポンプ式給湯装置６の運転効率を向上させることができる。
【００５３】
一方、給湯室外ユニット７の吹出口７ｂから外気へ吹き出された冷気は全閉中の前面扉３８に案内されて、前面側通風路３５へ流入され、さらに、この前面側通風路３５から終端部開口８ａｂを経て下段の空調室外ユニット５の吸込口５ｂ側へ流入する。
【００５４】
すると、この冷気は、空調室外ユニット５の室外ファン１５ａにより吸い込まれ、凝縮器である室外熱交換器１５を通風して冷却する。このために、凝縮温度を低下させるので、冷房運転効率の向上を図ることができる。
【００５５】
すなわち、本実施形態によれば、従来、外気中へ単に放出していた空調室外ユニット５と給湯室外ユニット７の排熱を、これら空調室外ユニット５と給湯室外ユニット７により相互に回収して各々の運転効率の向上を図ることができる。
【００５６】
そして、上記前面扉３８、上下一対かつ左右一対の側面扉３３ａ，３３ｂ、３４ａ，３４ｂおよび上下仕切扉４１（以下、これらを総称して開閉扉ともいう）の自動開閉制御は、例えばＨＥＭＳ（Ｈｏｍｅ  Ｅｎｅｒｇｙ  Ｍａｎａｇｅｍｅｎｔ  Ｓｙｓｔｅｍ）のホームコントローラ（図示省略）により他の家電機器と共に一元的に制御するように構成してもよい。
【００５７】
または、図４で示す空気調和装置４の制御装置１０と、図５で示すヒートポンプ式給湯装置６の制御装置２７のいずれか一方により制御させるように構成してもよい。あるいは必要に応じて手動により開閉させてもよい。例えば上下一対かつ左右一対の側面扉３３ａ，３３ｂ、３４ａ，３４ｂと上下仕切扉４１の開閉は、空気調和装置４の冷暖切換時のみに行なわれるので、室外ユニットカバー装置１内の清掃も含めて年２回程度、手動で開閉してもよい。
【００５８】
図８は、空気調和装置４が冷房運転中（ＯＮ）で、ヒートポンプ式給湯装置６が運転停止（ＯＦＦ）しているときに、空調室外ユニット５の吹出口５ａから排気された暖気が再び空調室外ユニット５の吸込口５ｂに吸い込まれて、空調効率を低下させるショートサーキットを防止する場合の上記開閉扉の制御方法の一例を示す。すなわち、ショートサーキット運転が発生すると、空気調和装置４の凝縮器が過熱されて昇圧し高圧カット等により運転が強制的に停止する不具合が発生する。
【００５９】
この場合、図６で示す一覧表に示すように、前面扉３８が全開（例えば７０°）で開、上下一対かつ左右一対の側面扉３３ａ，３３ｂ、３４ａ，３４ｂが全開、上下仕切扉４１が全開に制御される。
【００６０】
このために、冷房運転中の下段の空調室外ユニット５の吹出口５ａから排気された暖気の一部は、全開中の下部の左右一対の側面扉３４ａ，３４ｂを通って外気へ放出され、残部は背面側通風路４０へ流入して昇流し、その一部は、全開口の上部左右一対の側面扉３３ｂ，３３ａから外気へ放出される。その残部は、運転停止中の給湯室外ユニット７の内部または外部を通風して吹出口７ｂ側へ流入し、全開中または例えば７０°等、所要開度で開扉中の前面扉３８の上部３８ａにより開口している上部前面開口３７から外気へ排気される。
【００６１】
一方、このとき、開扉中の前面扉３８の下部３８ｂにより、前面側通風路３５は遮断されているので、黒矢印で示す暖気が下段の空調室外ユニット５の吸込口３ｂへ戻るショートサーキットを阻止することができる。これにより、高圧カット等の不具合が未然に防止される。
【００６２】
図９は空気調和装置４が暖房運転中（ＯＮ）で、ヒートポンプ式給湯装置６が運転停止（ＯＦＦ）のときの上記開閉扉の開閉状態等を示す。
【００６３】
この場合、図６に示すように前面扉３８が全閉、上部左右一対の側面扉３３ａ，３３ｂが全閉、下部左右一対の側面扉３４ａ，３４ｂが全開に制御される。
【００６４】
このために、暖房運転中の空調室外ユニット５は、その吸込口５ｂから冷たい外気を吸い込む一方、吹出口５ａから白矢印で示す冷気を排気する。この排気された冷気の一部は直接全開中の左右一対の下部側面扉３４ａ，３４ｂから外気へ放出され、残部は一旦背面側通風路４０へ排気される。しかし、この背面側通風路４０の途中は上下仕切扉４１により全閉されているので、これ以上の昇流はできずに滞留して行く。このために、この滞留が進行して行くと、この滞留部分は外気に対して正圧になるので、やはり、全開中の左右一対の下部側面扉３４ａ，３４ｂから外気側へ放出される。
【００６５】
そして、カバー部材８の屋根２９の傾斜角度は、一般に雪崩が発生し易い角度の例えば３８°以上の急勾配に形成しているので、屋根２９上に積もった積雪Ｓを地上等に自然落下させ、積雪Ｓを低減できる。
【００６６】
図１０は空気調和装置４が運転停止（ＯＦＦ）、かつヒートポンプ式給湯装置６が運転中（ＯＮ）のときに、浴室排気フード３０から外気へ排気される浴室の暖気から排熱を回収する方法の一例を示している。
【００６７】
この場合は、図６にも示すように前面扉３８が全開、上部側面扉３３ａ，３３ｂが全閉、下部側面扉３４ａ，３４ｂが全閉、上下仕切扉４１が閉に制御される。
【００６８】
このために、浴室排気フード３０から室外ユニットカバー装置１の背面側通風路４０へ排気された浴室からの暖気は、全閉中の左右一対の上部側面扉３３ａ，３３ｂに案内されて、給湯室外ユニット７の吸込口７ａ側へ流入する。
【００６９】
さらに、この暖気は、給湯室外ユニット７のファン２６ａの送風力により蒸発器２６を通風して加熱し、その蒸発温度を上昇させる一方、冷却されて吹出口７ｂから冷気として排気される。
【００７０】
そして、この冷気は全開中の前面扉３８に案内されて外気へ排気される。
【００７１】
したがって、浴室暖気からの排熱を給湯室外ユニット７により回収し、その排熱により給湯室外ユニット７の蒸発温度を上昇させるので、ヒートポンプ式給湯装置６の運転効率の向上を図ることができる。
【００７２】
また、空調運転停止中の空調室外ユニット５を通風した外気の一部が空調室外ユニット５の内部またはその外部を通風して背面側通風路４０内へ流入しても、この背面側通風路４０の途中は上下仕切扉４１により全閉されているので、給湯室外ユニット７側の吸込口７ａ側への流入を阻止することができる。
【００７３】
このために、背面側通風路４０内を通風する浴室暖気が外気により冷却されることを阻止することができる。
【００７４】
以上説明したように、本実施形態に係る室外ユニットカバー装置１は、空気調和装置４の冷房運転時に、ヒートポンプ式給湯装置６を共に運転したときに、空調室外ユニット５の吹出口５ａから排気される暖気を、給湯室外ユニット７の吸込口７ａに取り込み、その蒸発温度を上昇させることができるので、給湯運転の効率向上を図ることができる。
【００７５】
しかも、給湯室外ユニット７の吹出口７ｂから排気される冷気を、空調室外ユニット５の吸込口５ｂに取り込み、その凝縮温度を低下させることができるので、空調運転の効率向上を図ることができる。
【００７６】
また、空気調和装置４の冷房運転時に、ヒートポンプ式給湯装置６の運転を停止（または休止）して片側運転するときは、空調室外ユニット５の吹出口５ａから排気された暖気が再び空調室外ユニット５の吸込口５ｂへ戻るショートサーキットが発生する虞があるが、本実施形態によれば、この暖気を、前面扉３８を全開または所要角度（例えば７０°）で開扉させて外気へ放出させると共に、給湯室外ユニット７の吹出口７ｂと空調室外ユニット５の吸込口５ｂを連通させる前面側通風路３５を遮断するので、ショートサーキットの防止を図ることができる。このために、ショートサーキットに起因する高圧カットによる運転等停止の不具合の低減を図ることができるので、空調運転の効率向上を図ることができる。
【００７７】
さらに、浴室排気フード３０から排気される暖気の排熱を給湯運転中の給湯室外ユニット７により回収することができるので、給湯運転の効率向上を図ることができる。
【００７８】
また、現在市販の二台置き台を載置台３として用い、この載置台３上に、屋根２９付きの下屋構造のカバー部材８を載置し、固定することにより、室外ユニットカバー装置１を簡単かつ迅速に構成できるので、カバー部材８のコスト低減を図ることができるうえに、室外ユニットカバー装置１の組立てを簡単かつ迅速に行なうことができる。
【００７９】
そして、カバー部材８により、空調室外ユニット５と給湯室外ユニット７の２台を共に被覆するので、直射日光等の日射負荷を低減できるうえに、雨水や鳥の糞等からも保護でき、耐侯性や耐腐食性の向上を図ることができる。
【００８０】
また、空調室外ユニット５と給湯室外ユニット７や載置台３等のほぼ全体を板金製のカバー部材８により被覆するので、外気に放出される室外ユニット５，７の運転音の騒音と、万一の発火時の延焼の防止を図ることができ、美観の向上も図ることができる。
【００８１】
さらに、全面扉３８の開口角を例えば５０°程度とし、さらに、例えば地上から１２００ｍｍ程度の高さで上向きにすることにより、隣家への排気に対するクレームの低減を図ることができる。
【００８２】
そして、建屋外壁２に接するカバー部材８の背面部８ｄの開口縁部にはパッキン３１を設け、建屋外壁２に接する屋根２９の接面にはゴム板３２を設けているので、カバー部材８内への雨水の侵入や塵埃等異物の侵入を防止できる。また、背面側通風路４０を通風する暖気等の排気の外気への漏れの低減を図ることができる。
【００８３】
なお、上記実施形態では、前面扉３８を１枚平板状で図示しているが、本発明はこれに限定されるものではなく、例えば複数枚のルーバを開閉可能に連結するルーバ方式に構成してもよい。これによれば、前面扉３８のヒンジピン３８ａ回りの大きな回動スペースの低減を図ることができる。
【００８４】
図１１，図１２は、ヒートポンプ式給湯装置６の運転をタンク水温のみで制御するのではなく、可能な限り空気調和装置４の冷房運転を優先し、これに追随するように上記制御装置により制御する方法の一例を示すフローチャートである。なお、図１１，図１２中、Ｓに数字を付した符号はフローチャートの各ステップを示し、丸Ａ，丸Ｂはステップのコネクタを示す。
【００８５】
すなわち、まず、Ｓ１で上記制御装置は空調室外ユニット５、すなわち、空気調和装置４の運転指令が冷房入り指令か否かを判断し、ＹＥＳのときは、次のＳ２で冷房運転を開始する。
【００８６】
この後、Ｓ３で、給湯室外ユニット７、すなわち、ヒートポンプ式給湯装置６の運転指令があるか否かを判断し、ＹＥＳのときは、Ｓ４で、前面扉３８を全閉、上下一対かつ左右一対の側面扉３３ａ，３３ｂ、３４ａ，３４ｂを全閉、上下仕切扉４１を開に制御する。
【００８７】
次に、Ｓ５で、給湯運転を開始させる。
【００８８】
これにより、図７に示すように冷房運転中の空調室外ユニット５の吹出口５ａから排気された暖気を背面側通風路４０を経て、給湯運転中の給湯室外ユニット７へ案内し、蒸発器２６を加熱して蒸発温度を上昇させることができる。これにより、給湯運転効率の向上を図ることができる。
【００８９】
また、給湯室外ユニット７の吹出口７ｂから外気へ吹き出される冷気は、全閉の前面扉３８と前面側通風路３５に案内されて空調室外ユニット５の吸込口５ｂ側へ流入し、空調室外ユニット５内に吸い込まれる。これにより、空調室外ユニット５の室外熱交換器１５の凝縮温度を低下させて空調運転の効率向上を図ることができる。したがって、空気調和装置４とヒートポンプ式給湯装置６の両者の運転効率の向上を共に図ることができる。
【００９０】
この後、Ｓ６で、図５で示す貯湯タンク２１の湯の温度（タンク水温）がＴｓ（設定温度）＋５℃よりも高いか否かを判断し、ＮＯのときは再びＳ１に戻り、Ｓ１以下を再び繰り返す。
【００９１】
しかし、Ｓ６でＹＥＳ、すなわち、タンク水温がＴｓ＋５℃よりも高いときはＳ７で、給湯運転を停止させ、次のＳ８で、前面扉３８を全開、上下一対かつ左右一対の側面扉３３ａ，３３ｂ、３４ａ，３４ｂを全開、上下仕切扉４１を開に制御して終了（ＥＮＤ）する。
【００９２】
これにより、図８で示す冷房運転時のショートサーキットの防止を図ることができるので、高圧カットによる空気調和装置４の運転停止を未然に防止し、運転効率の向上を図ることができる。
【００９３】
そして、上記Ｓ１で、ＮＯのとき、すなわち、空気調和装置４に対する運転指令が冷房入り指令では無いときは、図１２で示すＳ９で、給湯室外ユニット７、すなわち、ヒートポンプ式給湯装置６に対して運転指令があるか否かを判断する。
【００９４】
ここでＹＥＳのときは、次のＳ１０で、前面扉３８と上部，下部側面扉３３ａ，３３ｂ、３４ａ，３４ｂを全開に制御し、上下仕切扉４１を開に制御してから、上記図１１のＳ５へ進み、ここで給湯運転を開始する。このために、ヒートポンプ式給湯装置６のみが単独で運転される。
【００９５】
一方、Ｓ９でＮＯの場合、すなわち、給湯運転指令が無いときは、Ｓ１１で、タンク水温＜Ｔｓ（設定値）−５℃が成立するか否かを判断し、ＮＯのとき、例えばタンク水温が設定値Ｔｓに達した時は、上記Ｓ１２で、給湯運転を停止させて制御を終了させる。
【００９６】
しかし、Ｓ１１で、ＹＥＳのとき、すなわち、タンク水温＜Ｔｓ−５℃が成立するときは、上記Ｓ１０へ進み、このＳ１０と同様の制御を行なう。
【００９７】
そして、上記図１１のＳ３で、ＮＯのとき、すなわち、ヒートポンプ式給湯装置６の運転指令が無いときは、Ｓ１３で、タンク水温＜Ｔｓ−２０℃が成立するか否かを判断する。
【００９８】
ＹＥＳの場合、すなわち、タンク水温がＴｓ（設定温度）−２０℃よりも低い場合は、上記Ｓ４で開閉扉を制御してから、次のＳ５で給湯運転を開始する。
【００９９】
しかし、Ｓ１３でＮＯのとき、すなわち、タンク水温＜Ｔｓ−２０℃が成立しないときは、次のＳ１４で給湯運転の停止状態を継続する。
【０１００】
この後、Ｓ１５で、前面扉３８を全開、上下一対かつ左右一対の側面扉３３ａ，３３ｂ、３４ａ，３４ｂを全開、上下仕切扉４１を開にそれぞれ制御してから、再び上記Ｓ１へ戻り、Ｓ１以下を繰り返す。
【０１０１】
この制御方法によれば、年間を通した運用時間で見ると、比較的運用期間が長く、その省エネルギの効果も大きい空気調和装置４の冷房運転を優先させ、これに追従してヒートポンプ式給湯装置６を同時に運転するので、排熱回収効率の向上を図ることによる省エネルギ効果の一層の向上を図ることができる。また、前面扉３８を頻繁に開閉しないので、この前面扉３８の開閉機構の寿命の延長を図ることかできる。
【０１０２】
そして、空気調和装置４の暖房運転時には、その空調室外ユニット５の吹出口５ａから吹き出される排気は外気温度よりも低い冷気であり、この冷気が給湯室外ユニット７の吸込口７ａに取り込まれると、給湯運転の効率が低下するが、この冷気は全開する左右一対の下部側面扉３４ａ，３４ｂにより外気へ放出され、給湯室外ユニット７には取り込まれないので、給湯運転の低下を抑制できる。
【０１０３】
なお、図１３に示すように、上記室外ユニットカバー装置１は、例えば屋根２９の前端に細棒４２またはワイヤー等を設け、この細棒４２等をゴーヤ等の弦性の植物４３のプランタ４４等に差し込み、植物４３を細棒４２に絡ませ、カバー部材８の下部前面開口３６に日陰を形成するように構成してもよい。これによれば、夏季等外気の温度が高いときに、植物４３の日陰により外気温度の低下を図ることができる。
【０１０４】
これにより、夏季に冷房運転される空調室外ユニット５の吸込口５ｂから吸い込まれる外気温度の低下を図ることができるので、その分、凝縮温度の低減を図ることができ、冷房運転効率の向上を図ることができる。
【０１０５】
以上、本発明の幾つかの実施形態を説明したが、これらの実施形態は、例として提示したものであり、本発明の範囲を限定することは意図していない。これら新規な実施形態は、その他の様々な形態で実施されることが可能であり、本発明の要旨を逸脱しない範囲で、種々の省略、置換え、変更を行なうことができる。これら実施形態やその変形は、本発明の範囲や要旨に含まれるとともに、特許請求の範囲に記載された発明とその均等の範囲に含まれる。
【符号の説明】
【０１０６】
１…室外ユニットカバー装置、２…建屋外壁、３…載置台、４…空気調和装置、５…空調室外ユニット、５ａ…空調室外ユニットの吹出口、５ｂ…空調室外ユニットの吸込口、６…ヒートポンプ式給湯装置、７…給湯室外ユニット、７ａ…給湯室外ユニットの吸込口、７ｂ…給湯室外ユニットの吹出口、８…カバー部材、８ａ…カバー部材前面部、８ｂ，８ｃ…カバー部材左右側面部、２１…給湯タンク、２８…延長柱、２８ａ…継手、２９…屋根、３０…浴室排気フード、３１…パッキン、３３ａ，３３ｂ…左右一対の上部側面扉、３４ａ，３４ｂ…左右一対の下部側面扉、３５…前面側通風路（第２の通風路）、３７…上部前面開口、３８…前面扉、４０…背面側通風路（第１通風路）、４１…上下仕切扉。
【図１】
2014190633.tif 000003
【図２】
2014190633.tif 000004
【図３】
2014190633.tif 000005
【図４】
2014190633.tif 000006
【図５】
2014190633.tif 000007
【図６】
2014190633.tif 000008
【図７】
2014190633.tif 000009
【図８】
2014190633.tif 000010
【図９】
2014190633.tif 000011
【図１０】
2014190633.tif 000012
【図１１】
2014190633.tif 000013
【図１２】
2014190633.tif 000014
【図１３】
2014190633.tif 000015